(57)【要約】      （修正有）【課題】製造も簡便かつ低コストであり、結束時に結束バンド及び対象物が判別しやすい結束バンドを提供する。【解決手段】対象物に巻回して結束する結束バンド１であって、ループ面とフック面が重着可能な面ファスナーを用い、一面にループ面を有するループ面部１０と、ループ面部１０の長手方向一端側に連設され、ループ面部１０と同一面にフック面を有するフック面部１１と、ループ面部１０の長手方向他端側に付設され、一端側を挿通して折り返すための環状体１２とを備えた構成において、ループ面部１０が長手方向に伸縮可能な伸縮材料で形成されている。【選択図】図１
0003211100.tif 000002
【実用新案登録請求の範囲】
【請求項１】
対象物に巻回して結束する結束バンドであって、ループ面とフック面が重着可能な面ファスナーを用い、
少なくとも一面にループ面を有するループ面部と、該ループ面部の長手方向一端側に連設され、該ループ面と少なくとも同一面にフック面を有するフック面部と、該ループ面部の長手方向他端側に付設され、該一端側を挿通して折り返すための環状体とを備えた構成において、
該ループ面部が長手方向に伸縮可能な伸縮材料で形成されている
ことを特徴とする結束バンド。
【請求項２】
前記ループ面部の収縮時と最大伸長時の長さの比が２：３ないし２：５の範囲である
請求項１に記載の結束バンド。
【請求項３】
前記結束バンドのいずれかの部位に、蛍光塗料又は夜光塗料を用いた印刷部を備えた
請求項１又は２に記載の結束バンド。
【請求項４】
前記結束バンドのいずれかの部位を、蛍光材料又は夜光材料により形成した
請求項１又は２に記載の結束バンド。
【考案の詳細な説明】
【技術分野】
【０００１】
本考案は、対象物を束ねたり、対象物又は対象物同士を締縛するための結束バンドである。
【背景技術】
【０００２】
従来からケーブルなどを結束するために、フック面とループ面を備えた面ファスナーをバンドとして用い、バンドの端部に備えた環状体でバンドを折り返した上で重着させる結束具が周知である。
一般的な面ファスナーは伸縮せず、これを使用した結束具においても面ファスナー部分は伸縮しないので、強く結束する場合には力をいれて締めた上で面ファスナーを重着するしかない。
【０００３】
改良された結束具の例として特許文献１では、雌雄の面ファスナーを片面に備えた非伸縮性の操作ベルトと、操作ベルトよりも短く形成した伸縮性を有する当接ベルトと、締縛調節体とを備え、長手中央部分に弛ませた状態で操作ベルトを面ファスナー取付面側を上側として重ね、前記当接ベルトの一方の面の両端部分に、操作ベルの下面両端部分を固着した結束具が開示されている。本構成によると、当接ベルトの伸縮性を利用して面ファスナーである操作ベルトにテンションを加えることができる。
このように面ファスナーと伸縮性のシートを重ねる構成は特許文献２、特許文献３にも開示されている。
【０００４】
また、特許文献４では伸縮性を有する樹脂テープの両端にフック面ファスナーとループ面ファスナーを備え、樹脂テープを延ばした上で面ファスナーを重着する構成が開示されている。本構成では、樹脂テープの端部と面ファスナーの連結部が、面ファスナーの係合素子が存在しない耳部の上下両面を、樹脂テープから延設された熱可塑性エラストマーで挟み一体化した構造とするなど、連結部分に工夫を行っている。
このように面ファスナーの端部に伸縮性に富むテープを備えた構成は特許文献５にも記載されている。
【先行技術文献】
【特許文献】
【０００５】
【特許文献１】特開平１０−３２４３６４
【特許文献２】特開２０１４−１０１１３８
【特許文献３】特許第３０２８２１２号
【特許文献４】特開２００９−１９０７４２
【特許文献５】実開平６−２７６１２
【考案の概要】
【考案が解決しようとする課題】
【０００６】
上記特許文献に挙げた技術は、面ファスナーを用いて締結する際に、伸縮性のある別部材の伸縮作用を利用してバンドを緊張させるものである。
しかし、このような構成は構造が複雑で製造コストが高くなるだけでなく、伸縮性のある部位が限定されるので対象物の大きさによっては適当な緊張力が得られないことがある。
【０００７】
同時に、従来の結束具は結束時に目立たず、結束具を探すのに手間取ったり、暗所において結束する場合に対象物の位置が分かりにくくなる問題があった。
【０００８】
本考案は上記のような課題を解決するものであり、製造も簡便かつ低コストであり、結束時に結束バンド及び対象物が判別しやすい結束バンドを提供することを目的とする。
【課題を解決するための手段】
【０００９】
上記課題を解決するため、本考案は次のような結束バンドを提供する。
本考案の第１の実施形態によれば、対象物に巻回して結束する結束バンドであって、ループ面とフック面が重着可能な面ファスナーを用い、少なくとも一面にループ面を有するループ面部と、ループ面部の長手方向一端側に連設され、ループ面と少なくとも同一面にフック面を有するフック面部と、ループ面部の長手方向他端側に付設され、一端側を挿通して折り返すための環状体とを備えた構成において、ループ面部が長手方向に伸縮可能な伸縮材料で形成されていることを特徴とする。
【００１０】
上記考案において、ループ面部の収縮時と最大伸長時の長さの比が２：３ないし２：５の範囲となるような伸縮材料を用いると特に好適である。
【００１１】
本考案の第２の実施形態によれば、前記結束バンドのいずれかの部位に、蛍光塗料又は夜光塗料を用いた印刷部を備えた結束バンドを提供することができる。
【００１２】
本考案の第３の実施形態によれば、前記結束バンドのいずれかの部位を、蛍光材料又は夜光材料により形成した結束バンドを提供することができる。
【考案の効果】
【００１３】
本考案によれば、ループ面部が長手方向に伸縮可能な伸縮材料で形成されていることにより、従来技術のように伸縮部材を別に付設する必要がなく、伸縮性のない周知の結束バンドと同様の方法で製造することができる。このため製造コストを抑制することができ、また構造がシンプルなことによって耐久性の向上にも寄与する。
【００１４】
蛍光塗料又は夜光塗料を用いた印刷部を備えたり、結束バンドのいずれかの部位を、蛍光材料又は夜光材料により形成することによって、結束時に目立ち、使用性の向上を図ることができる。
特に暗所において夜光塗料や夜光材料が発光することで対象物にぶつかって破損したり、つまずく恐れがなく、安全性の向上にも寄与する。
【図面の簡単な説明】
【００１５】
【図１】本考案に係る結束バンドの表面を示す説明図である。
【図２】本考案に係る結束バンドの裏面を示す説明図である。
【図３】結束バンドの伸長量を示す説明図である。
【図４】結束バンドの使用状態を示す説明図である。
【考案を実施するための形態】
【００１６】
以下、本考案の実施形態を、図面に示す実施例を基に説明する。なお、実施形態は下記に限定されるものではない。
図１には本考案に係る結束バンド（１）の表面を示す説明図を、図２には同、裏面を示す説明図をそれぞれ示す。
【００１７】
結束バンド（１）には、ループ面とフック面が重着可能な面ファスナーを用いる。面ファスナーが重着する原理やループ面及びフック面の製造方法については周知であるので説明を省略する。
図示されるように、結束バンド（１）はループ面（１０ａ）を有するループ面部（１０）と、ループ面部（１０）の長手方向一端側に連設され、ループ面（１０ａ）と同一面にフック面（１１ａ）を有するフック面部（１１）とを備える。
【００１８】
さらに、ループ面部（１０）の長手方向他端側、すなわちフック面部（１１）とは反対側には、フック面部（１１）の先端を挿通しループ面部（１０）の向きに折り返すための環状体（１２）を備える。
面ファスナーと環状体をこのように利用して結束する構成についても周知である。なお、ループ面（１０ａ）とフック面（１１ａ）は同一面に形成することが必要であるが、片面に限らず、両面に備えていてもよい。
【００１９】
上記の構成において本考案ではループ面部（１０）が長手方向に伸縮可能な伸縮材料で形成されていることを特徴とする。すなわち、従来技術と異なり、ループ面部（１０）自体が伸縮し、好ましくはループ面部（１０）の全長が伸縮材料で形成されている。本実施例では、ループ面（１０ａ）を構成する微小なループ上の毛先を表面側がゴム基材上に植毛して形成している。ただし、材料はこれに限定されない。
なお、本考案においてフック面部（１１）も伸縮材料で形成してもよい。
【００２０】
図３には、本考案に係る結束バンド（１）の伸長量を示す。本実施例におけるループ面部（１０）とフック面部（１１）を合わせた全長は１６ｃｍであり、収縮した状態においてループ面部（１０）の全長が１１ｃｍ、フック面部（１１）の全長が５ｃｍである。
そして、最大まで伸長させた時に、ループ面部（１０）の全長は１８ｃｍまで伸長する。本考案においてフック面部（１１）は伸縮しないので全長は５ｃｍのままである。
【００２１】
本発明の全長は上記に限定されず、例えばループ面部（１０）の全長が１５ｃｍ、フック面部（１１）の全長が５ｃｍ、ループ面部（１０）の全長が１９ｃｍ、フック面部（１１）の全長が５ｃｍなどでもよい。フック面部も５ｃｍよりも長くても短くてもよい。
結束バンド（１）の幅は本実施例では約２ｃｍとしている。幅についても３ｃｍないし５ｃｍのように幅広に構成してもよく、この場合には結束する強度を増すことができる。
【００２２】
ここで、結束バンド（１）を用いて対象物を束ねたり、対象物又は対象物同士を締縛する際に、ある程度の伸長量がなければ本考案の効果が乏しく、また伸長しやすいとループ面部を伸ばしすぎてしまって重着力が低下してしまう。本考案者は実験によって、ループ面部の収縮時と最大伸長時の長さの比が２：３ないし２：５の範囲となるような伸縮材料を用いると特に好適であることを見出した。本実施例においてもこの比は１１：１８であり当該範囲内となるように構成している。
【００２３】
本考案に係る結束バンド（１）は以上の構成をとるので、製造が簡便かつ低コストであり、ループ面（１０）の伸縮によって結束する対象に適度な緊張力を生じさせ、良好な締縛を行うことができる。
【００２４】
次に、第２の実施態様について説明する。図４には結束バンドの使用状態を示す。
結束バンド（１）のフック面部（１１）の表面には、夜光塗料を用いた印刷部（１３）を有している。夜光塗料として、蓄光塗料やトリチウムなどを含んだ自発光塗料を用いることができる。
【００２５】
結束バンド（１）を対象物、例えばケーブルの束（２）の周りに巻回し締縛すると、図４のように印刷部（１３）が環状体（１２）で折り返されて表面に露出する。印刷部（１３）が夜光するため、暗所においては結束バンド（１）を目立たせることができる。
【００２６】
例えば、写真スタジオでは機材を結ぶ多数のケーブルが用いられており、これらを本考案の結束バンド（１）で締縛するとケーブルの整理を行いやすいだけでなく、ケーブルにつまずいたり、引っ掛けて破損する恐れを減少することができる。また、結束バンド（１）を取り外す際にも見つけやすく、作業性が向上する。
本考案の結束バンド（１）は、結束した対象物を目立たせることを目的として用いることもできる。
【００２７】
印刷部（１３）は、企業名や製品名などの文字を表示したり、マークを表示することもできる。結束しているコードの用途、例えば「１００Ｖ電源」「ストロボＡ」「スピーカー左」などを表示してもよい。警告・注意事項として「高圧注意」「取扱注意」などを表示してもよい。用途や警告・注意事項をマークで表してもよい。
【００２８】
夜光塗料に替えて、蛍光塗料で表示してもよい。蛍光塗料の印刷部を備えて目立ちやすくすることもできる。また、紫外光により蛍光させることもできる。印刷部（１３）はフック面部（１１）に限らず、ループ面部（１０）や環状体（１２）に備えてもよい。それらの全て又は全部に備えてもよい。例えばこれらとは別に結束バンド（１）の任意の部位から延設したタブ部（図示せず）を設けて、そのタブ部に印刷部を備えてもよい。
【００２９】
本考案の第３の実施形態によれば、結束バンドのいずれかの部位を、蛍光材料又は夜光材料により形成した結束バンドを提供することができる。例えば環状体（１２）を夜光材料で形成することで環状体（１２）全体が夜光し、上記と同様の効果を得ることができる。ループ面部（１０）やフック面部（１１）の基材を夜光材料とすることもできる。
夜光材料に替えて蛍光材料で形成することもできる。
【００３０】
本発明で結束する対象物は、ケーブルに限らず、任意の物、人体などの生体を対象とすることができる。
【符号の説明】
【００３１】
１    結束バンド
１０  ループ面部
１１  フック面部
１２  環状体
１３  印刷部
２    ケーブル
【図１】
0003211100.tif 000003
【図２】
0003211100.tif 000004
【図３】
0003211100.tif 000005
【図４】
0003211100.tif 000006